(57)【要約】【課題】浴室とサニタリールームとを水密的に分離しつつ、浴室及びサニタリールームの換気を行う。【解決手段】本発明の組立式浴室ユニットは、サニタリールーム付きの組立式浴室ユニット（１０）であって、天井に換気扇（２２）を取り付けた浴室（２０）と、前記浴室と隣接し、便器（３１）を有するサニタリールーム（３０）と、前記浴室（２０）と前記サニタリールーム（３０）とを仕切る一方、前記浴室と前記サニタリールームとを連通する通気路（４１）を有し、且つ、前記通気路に水切片（４７ａ，４７ｂ，５１，５２，５３）が設けられたドア（４０）と、を備え、前記通気路（４１）は、前記浴室及び前記サニタリールームの高さ方向に沿って設けられている。【選択図】図１
2019078092.tif 000002
【特許請求の範囲】
【請求項１】
サニタリールーム付きの組立式浴室ユニットであって、
天井に換気扇を取り付けた浴室と、
前記浴室と隣接し、便器を有するサニタリールームと、
前記浴室と前記サニタリールームとを仕切る一方、前記浴室と前記サニタリールームとを連通する通気路を有し、且つ、前記通気路に水切片が設けられたドアと、
を備え、
前記通気路は、前記浴室及び前記サニタリールームの高さ方向に沿って設けられた、組立式浴室ユニット。
【請求項２】
前記浴室は、平面視において矩形状を有し、
前記通気路は、平面視において前記浴室の中央より一方側に偏った位置に設けられ、
前記換気扇は、平面視において前記浴室の中央より他方側に偏った位置に取り付けられた、
請求項１に記載の組立式浴室ユニット。
【請求項３】
前記通気路は、前記ドアの隅部に設けられた、請求項２に記載の組立式浴室ユニット。
【請求項４】
前記ドアは、ドア本体と、前記ドアの吊元の外側に配置される吊元外枠と、を備え、
前記通気路は、前記ドアの吊元において、前記ドア本体と、前記吊元外枠との間に設けられた隙間で形成される、請求項３に記載の組立式浴室ユニット。
【請求項５】
前記浴室は、平面視において前記浴室の中央より一方側に偏った位置に設けられた点検口を有する、請求項２〜４のいずれか一項に記載の組立式浴室ユニット。
【請求項６】
前記水切片は、前記ドアの浴室側表面より前記浴室側に設けられた、請求項１〜５のいずれか一項に記載の組立式浴室ユニット。
【請求項７】
前記浴室の天井は、前記サニタリールームの天井より低い、請求項１〜６のいずれか一項に記載の組立式浴室ユニット。
【発明の詳細な説明】
【技術分野】
【０００１】
本発明は、サニタリールーム付きの組立式浴室ユニットに関する。
【背景技術】
【０００２】
浴室とサニタリールームとが水密的に分離されていない１つの空間に設けられた浴室ユニットが知られている。
【０００３】
また、浴室内の換気を行うために、浴室の入口に換気通路を設けた建具が知られている（例えば、特許文献１参照。）
【０００４】
特許文献１では、ホテルや集合住宅等の浴室の入口に、縦枠が直交するパネルに接し、その縦枠に細長い換気通路を設けた建具が開示されている。
【先行技術文献】
【特許文献】
【０００５】
【特許文献１】特開２００２−２０１８７１号公報
【発明の概要】
【発明が解決しようとする課題】
【０００６】
近年、浴室とサニタリールームとを水密的に分離しつつ、浴室及びサニタリールームの換気を行うことができるサニタリールーム付きの組立式浴室ユニットが求められている。
【０００７】
本発明は、前記課題を解決するもので、浴室とサニタリールームとを水密的に分離しつつ、浴室及びサニタリールームの換気を行うことができるサニタリールーム付きの組立式浴室ユニットを提供する。
【課題を解決するための手段】
【０００８】
本開示の一態様に係る組立式浴室ユニットは、
サニタリールーム付きの組立式浴室ユニットであって、
天井に換気扇を取り付けた浴室と、
前記浴室と隣接し、便器を有するサニタリールームと、
前記浴室と前記サニタリールームとを仕切る一方、前記浴室と前記サニタリールームとを連通する通気路を有し、且つ、前記通気路に水切片が設けられたドアと、
を備え、
前記通気路は、前記浴室及び前記サニタリールームの高さ方向に沿って設けられている。
【発明の効果】
【０００９】
以上のように、本発明のサニタリールーム付きの組立式浴室ユニットによれば、浴室とサニタリールームとを水密的に分離しつつ、浴室及びサニタリールームの換気を行うことができる。
【図面の簡単な説明】
【００１０】
【図１】図１は、本発明の実施の形態１に係るサニタリールーム付きの組立式浴室ユニットの正面視における概略構成図である。
【図２】図２は、図１のサニタリールーム付きの組立式浴室ユニットの平面視における概略構成図である。
【図３】図３は、ドアの概略図である。
【図４】図４は、図３のドアをＡ−Ａ線で切断した概略断面図である。
【発明を実施するための形態】
【００１１】
（本発明に至った経緯）
浴室とサニタリールームとが水密的に分離されていない１つの空間に設けられた浴室ユニットが知られている。このような浴室ユニットでは、浴室を使用すると、浴室からサニタリールームへ水が漏出してサニタリールームの床面が濡れた状態となり、安全面、衛生面及び快適さの面の観点から好ましくない。このため、浴室とサニタリールームとを水密的に分離するために、浴室とサニタリールームとを仕切ることが求められている。
【００１２】
また、マンションなどの高層建物においては、湿式工法でサニタリールーム付きの浴室を形成する場合、施工に時間がかかるうえに、階下への水漏れなどのトラブルが発生している。このため、短時間施工が可能であり、且つ水漏れのリスクを可能にするサニタリールーム付きの組立式浴室ユニットが求められている。
【００１３】
しかしながら、サニタリールーム付きの組立式浴室ユニットにおいて、浴室とサニタリールームとの間を水密的に仕切った構造にする場合、浴室及びサニタリールームの両方の換気を簡易な構成で行うことが困難となる。
【００１４】
例えば、浴室に換気扇を取り付けた場合、サニタリールームの換気が困難となり、サニタリールームに換気扇を取り付けた場合、浴室の換気が困難となる。一方、浴室とサニタリールームとの両方に換気扇を取り付けた場合、コストが高くなる。
【００１５】
そこで、本発明者は、浴室とサニタリールームとを仕切るドアに、水切部材が設けられた通気路をドアの高さ方向に沿って設け、浴室に取り付けられた換気扇によって浴室とサニタリールームとの両方の換気を行う構成を見出し、以下の発明に至った。
【００１６】
以下、実施形態について、添付の図面を参照しながら説明する。また、各図においては、説明を容易なものとするため、各要素を誇張して示している。
【００１７】
（実施の形態１）
［全体構成］
実施の形態１に係るサニタリールーム付きの組立式浴室ユニットの全体構成について説明する。
【００１８】
図１は、本発明の実施の形態１に係るサニタリールーム付きの組立式浴室ユニット１０（以下、「浴室ユニット１０」と称する）の正面視における概略構成図である。図２は、図１の浴室ユニット１０の平面視における概略構成図である。図１及び図２中のＸ，Ｙ，及びＺ方向は、それぞれ、浴室ユニット１０の幅方向、長さ方向、及び高さ方向を示す。図２中の中心線ＣＬ１は、浴室ユニット１０の平面視において、浴室ユニット１０の長さ方向（Ｙ方向）の中心線を示す。図２においては、中心線ＣＬ１を境界に、一方側Ｄ１と他方側Ｄ２とに分けられる。
【００１９】
本明細書において、「サニタリールーム付きの組立式浴室ユニット」とは、工場等で予め天井、床、壁等の部材を成型し、現場に搬入した後にそれらの部材を組み立てる浴室ユニットとこの浴室ユニットに隣接したサニタリールームとを意味する。サニタリールームは、浴室ユニットと同様に工場で予め成型した部材を組み立てるユニットであってもよいし、ユニット以外の工法で設けられたものでもよい。
【００２０】
図１及び図２に示すように、浴室ユニット１０は、浴室２０と、浴室２０と隣接するサニタリールーム３０と、浴室２０とサニタリールーム３０とを仕切るドア４０と、を備える。ドア４０には、浴室２０及びサニタリールーム３０の高さ方向（Ｚ方向）に沿って、浴室２０とサニタリールーム３０とを連通する通気路４１が設けられている。
【００２１】
＜浴室＞
浴室２０は、シャワー２１を有する洗い場を備える空間を形成している。浴室２０は、防水性を有する天井、床、及び側壁で形成されている。浴室２０の天井には、換気扇２２及び点検口２３が取り付けられている。
【００２２】
図１に示すように、浴室２０の天井は、サニタリールーム３０の天井より低い。これにより、浴室２０の天井裏に換気扇２２を取り付けるスペースを形成している。
【００２３】
また、図２に示すように、浴室ユニット１０の平面視において、即ち、浴室ユニット１０をＺ方向から見て、浴室２０は矩形状を有し、換気扇２２は浴室２０の中央より他方側Ｄ２に偏った位置に取り付けられている。
【００２４】
点検口２３は、浴室２０の天井に設けられている。点検口２３は、蓋によって塞がれている。点検口２３は、例えば、換気扇２２の点検などを行う際に使用される孔である。
【００２５】
点検口２３は、浴室ユニット１０の平面視において、即ち、浴室ユニット１０をＺ方向から見て、浴室２０の一方側Ｄ１に偏った位置に設けられている。
【００２６】
＜サニタリールーム＞
サニタリールーム３０は、便器３１及び洗面台３２等の衛生のための設備を有する空間を形成している。図１に示すように、サニタリールーム３０は、ドア４０を介して浴室２０と隣接している。
【００２７】
サニタリールーム３０内で発生した臭気８０は、ドア４０に設けられた通気路４１を通って浴室２０に流れ込み、浴室２０の天井に取り付けられた換気扇２２によって外部に排出される。具体的には、図２の矢印Ｄ３に示すように、サニタリールーム３０内に発生した臭気８０は、ドア４０の隅部に設けられた通気路４１を通って浴室２０内に流れ込み、換気扇２２から外部へ排出される。
【００２８】
＜ドア＞
ドア４０は、浴室２０とサニタリールーム３０とを仕切る板状部材である。図１に示すように、ドア４０は、浴室２０とサニタリールーム３０とを水密的に分離している。実施の形態１では、図２に示すように、浴室２０側に開くドア４０に加えて、仕切り部材６０によって、浴室２０とサニタリールーム３０とが仕切られている。
【００２９】
本明細書において、「水密的に分離している」とは、浴室２０をＷｅｔ空間とし、サニタリールーム３０をＤｒｙ空間とするように仕切ることを意味する。
【００３０】
図３は、ドア４０の概略図である。図４は、図３のドア４０をＡ−Ａ線で切断した概略断面図である。図３及び図４に示すように、ドア４０は、ドア本体４２と、吊元外枠５０と、を備える。また、ドア４０は、図３に示すように、浴室ユニット１０の幅方向（Ｘ方向）から見て、高さ方向（Ｚ方向）を長手方向とし、長さ方向（Ｙ方向）を短手方向とする矩形状を有する。
【００３１】
図３に示すように、ドア本体４２は、枠体４３と、枠体４３の内側に保持されるパネル４４と、を備える。実施の形態１では、パネル４４は、例えば、ガラスパネルで形成されている。パネル４４をガラスパネルで形成することによって、ドア本体４２の表面を乾燥させやすくすることができる。また、透明なガラスパネルを通じて、浴室２０とサニタリールーム３０との間が視認可能となるので、圧迫感がなく空間的な広がりを感じることができる。
【００３２】
吊元外枠５０は、ドア４０の回転軸側である吊元Ｓｃの外側に配置される枠体である。
【００３３】
ドア４０に隣接する仕切り部材６０については、ドア本体４２と同様に、枠体と、枠体内部に取り付けられるパネルと、で形成されている。
【００３４】
図４に示すように、吊元Ｓｃにおいて、枠体４３の吊元側枠体４５は、ドア本体４２の回転軸４６を有する。回転軸４６を中心にドア本体４２を浴室２０側に移動させることによって、ドア４０を開くことができる。
【００３５】
図２−４に示すように、ドア４０の隅部には、通気路４１が設けられている。通気路４１は、浴室２０及びサニタリールーム３０の高さ方向（Ｚ方向）に沿って設けられている。
【００３６】
実施の形態１では、図４に示すように、通気路４１は、ドア４０の吊元Ｓｃに設けられている。具体的には、通気路４１は、ドア本体４２と吊元外枠５０との間に設けられた隙間で形成されている。言い換えると、通気路４１は、吊元側枠体４５と吊元外枠５０との間の隙間で形成されている。
【００３７】
通気路４１は、浴室２０からサニタリールーム３０へ水が流れないように形成されている。具体的には、通気路４１において、浴室２０からサニタリールーム３０への方向（Ｙ方向）と交差する水切片５１，５２，５３が設けられている。
【００３８】
水切片５１，５２，５３は、浴室２０から通気路４１を通ってサニタリールーム３０へ水が漏出するのを防止する部材である。具体的には、水切片５１，５２，５３は、吊元外枠５０に設けられており、吊元外枠５０から浴室２０及びサニタリールーム３０の幅方向（Ｘ方向）に突設した板状部材である。また、水切片５１，５２，５３は、浴室２０及びサニタリールーム３０の高さ方向（Ｚ方向）に沿って設けられている。
【００３９】
水切片５１は、ドア４０の浴室側表面ＰＳ１よりも浴室２０側に設けられている。水切片５２は、通気路４１の中央に設けられている。水切片５３は、ドア本体４２よりサニタリールーム３０側に設けられている。
【００４０】
また、水切片５１は、サニタリールーム３０から通気路４１を介して浴室２０に流れる空気を、浴室２０側のドア本体４２の浴室側表面ＰＳ１に向けて流している。具体的には、図４の矢印Ｄ４に示すように、サニタリールーム３０から浴室２０への方向（Ｙ方向）に向かって通気路４１を流れる空気を、水切片５１によって、浴室２０及びサニタリールーム３０の幅方向（Ｘ方向）に向けて流している。
【００４１】
これにより、通気路４１から浴室２０内に流れる空気がドア本体４２の表面を流れやすくなるので、ドア本体４２の表面を乾燥させやすくすることができる。さらに、ドア本体４２がガラスパネルの場合、ドア本体４２の表面に付着した水滴や曇りを除去することができるのでガラスパネルを通じて、浴室２０とサニタリールーム３０との間が視認可能となり浴室２０とサニタリールーム３０の空間の広がりを感じることができる。また、サニタリールーム３０から通気路４１を通って浴室２０内に流れてくる空気を、換気扇２２の位置する方向に流すことができる。
【００４２】
また、通気路４１と接する吊元側枠体４５の端部には、水切部材４７が取り付けられている。水切部材４７は、浴室２０から通気路４１を通ってサニタリールーム３０へ水が漏出するのを防止する部材である。水切部材４７は、例えば、樹脂部材で形成されている。水切部材４７は、吊元側枠体４５に設けられており、通気路４１において、浴室２０からサニタリールーム３０への方向（Ｙ方向）と交差する水切片４７ａ、４７ｂを有している。
【００４３】
水切片４７ａ，４７ｂは、吊元側枠体４５から吊元外枠５０に向かって延びる板状の部材である。また、水切片４７ａ，４７ｂは、浴室２０及びサニタリールーム３０の高さ方向（Ｚ方向）に沿って設けられている。水切片４７ａは、ドア本体４２が閉じられた状態において、吊元外枠５０に設けられた水切片５１と水切片５２との間に配置される。また水切片４７ｂは、ドア本体４２が閉じられた状態において、吊元外枠５０に設けられた水切片５２と水切片５３との間に配置される。
【００４４】
［動作］
実施の形態１に係るサニタリールーム付きの組立式浴室ユニット１０の動作について説明する。
【００４５】
浴室２０内の天井に取り付けられた換気扇２２の電源をＯＮにすると、浴室２０内の空気が換気扇２２から排出される。また、サニタリールーム３０内の空気は、ドア４０の吊元Ｓｃに設けられた通気路４１を通じて浴室２０内へ移動する。
【００４６】
このため、図１及び図２に示すように、サニタリールーム３０内で発生した臭気８０は、ドア４０の通気路４１を通って浴室２０内に移動する。そして、浴室２０内に移動した臭気８０は、換気扇２２から外部へ排出される。
【００４７】
通気路４１は、平面視において浴室２０の中央より一方側Ｄ１に偏った位置に設けられる一方、換気扇２２は、平面視において浴室２０の中央（中心線ＣＬ１）より他方側Ｄ２に偏った位置に取り付けられている。このため、サニタリールーム３０から通気路４１を通って浴室２０に流れる空気が、図２の矢印Ｄ３に示すように、旋回するように流れる。
【００４８】
また、通気路４１には、水切片５１，５２，５３及び水切部材４７が設けられている。水切片５１，５２，５３及び水切部材４７は、浴室２０から通気路４１を通ってサニタリールーム３０内へ水が漏出するのを防止する。これにより、浴室２０とサニタリールーム３０とを水密的に分離することができる。
【００４９】
［効果］
実施の形態１に係るサニタリールーム付きの組立式浴室ユニット１０によれば、以下の効果を奏することができる。
【００５０】
浴室ユニット１０は、換気扇２２が取り付けられた浴室２０と、浴室２０と隣接し、便器３１を有するサニタリールーム３０と、浴室２０とサニタリールーム３０とを仕切るドア４０と、を備える。ドア４０は、浴室２０とサニタリールーム３０とを連通する通気路４１を有し、且つ、通気路４１に水切片５１，５２，５３が設けられている。また、通気路４１は、浴室２０及びサニタリールーム３０の高さ方向（Ｚ方向）に沿って設けられている。
【００５１】
このような構成により、浴室２０とサニタリールーム３０とを水密的に分離しつつ、浴室２０内に取り付けた換気扇２２によって、浴室２０及びサニタリールーム３０の換気を行うことができる。
【００５２】
また、通気路４１は、浴室２０及びサニタリールーム３０の高さ方向（Ｚ方向）に沿って設けられていることにより、サニタリールーム３０の上方の臭気８０を浴室２０へ容易に移動させることができる。これにより、通気路４１をドア４０の下部に設けた場合に比べて、サニタリールーム３０内に臭気８０が籠もりにくくなり、換気効率を向上させることができる。
【００５３】
浴室２０は、平面視において矩形状を有し、通気路４１は、平面視において浴室２０の中央（中心線ＣＬ１）より一方側Ｄ１に偏った位置に設けられている。また、換気扇２２は、平面視において浴室２０の中央（中心線ＣＬ１）より他方側Ｄ２に偏った位置に取り付けられている。
【００５４】
このような構成により、換気扇２２を通気路４１から離して配置することができる。このため、通気路４１から流れ込んだ空気が一方側（Ｄ１方向）から他方側（Ｄ２方向）に向かって浴室２０内を流れるため、換気効率を向上させることができる。
【００５５】
通気路４１は、ドア４０の隅部に設けられているのが好ましい。
【００５６】
より好ましくは、ドア４０は、ドア本体４２と、ドアの吊元Ｓｃの外側に配置される吊元外枠５０と、を備え、通気路４１は、ドア４０の吊元Ｓｃにおいて、ドア本体４２と吊元外枠５０との間に設けられた隙間で形成される。
【００５７】
このような構成により、サニタリールーム３０から通気路４１を通って浴室２０に流れる空気が、ドア４０の隅部に設けられる吊元Ｓｃを回転軸として、旋回するように流れる。これにより、浴室２０及びサニタリールーム３０内において、空気がよどむことを抑制して換気を行うことができる。その結果、浴室２０及びサニタリールーム３０の換気効率を向上させることができる。
【００５８】
水切片５１は、ドア４０の浴室側表面ＰＳ１よりより浴室２０側に設けられていることが好ましい。
【００５９】
このような構成により、通気路４１から浴室２０内へ排出される空気の流れが、ドア４０の浴室側表面ＰＳ１に流れやすくなる。このため、浴室２０側のドア４０の表面を乾燥させやすくすることができる。
【００６０】
浴室２０は、平面視において浴室２０の中央より一方側Ｄ１に偏った位置に設けられた点検口２３を有する。
【００６１】
このような構成により、換気扇２２を浴室２０の他方側Ｄ２へ配置しつつ、点検口２３を浴室２０の一方側Ｄ１へ配置することができる。
【００６２】
浴室２０の天井は、サニタリールーム３０の天井より低いことが好ましい。
【００６３】
このような構成により、浴室２０の天井裏に、換気扇２２を取り付けるスペースを確保することができる。
【００６４】
なお、浴室ユニット１０において、サニタリールーム３０は、便器３１と洗面台３２とを有する例を説明したが、これに限定されない。サニタリールーム３０は、便器３１を有していればよく、洗面台３２を有していなくてもよい。
【００６５】
浴室ユニット１０において、通気路４１は、ドア４０の隅部である吊元Ｓｃに設けられる例について説明したが、これに限定されない。通気路４１は、ドア４０の高さ方向に沿って設けられていればよく、通気路４１の位置は限定されない。
【００６６】
通気路４１は、ドア４０の吊元Ｓｃにおいて、ドア本体４２と吊元外枠５０との間に設けられた隙間で形成されている例について説明したが、これに限定されない。通気路４１は、複数の板状部材が斜めに配置することによって形成される、複数の板状部材との間の隙間で形成されていてもよい。
【００６７】
吊元外枠５０側に設けられる水切片５１，５２，５３は、それぞれ、通気路４１の浴室２０側、中央、及びサニタリールーム３０側において、通気路４１の吊元外枠５０から吊元側枠体４５に向かって延びる板状の部材である例を説明したが、これに限定されない。水切片５１，５２，５３は、浴室２０からサニタリールーム３０へ水が漏出するのを防ぐことが可能な部材であればよく、その形状及び／又は位置が限定されない。
【００６８】
吊元側枠体４５側に取り付けられる水切部材４７は、水切片４７ａ、４７ｂを有する例を説明したが、これに限定されない。水切部材４７は、浴室２０からサニタリールーム３０へ水が漏出するのを防ぐことが可能な部材であればよく、その形状は限定されない。また、浴室ユニット１０において、水切部材４７は、必須の構成ではない。
【００６９】
本発明をある程度の詳細さをもって各実施形態において説明したが、これらの実施形態の開示内容は構成の細部において変化してしかるべきものである。また、実施形態における要素の組合せや順序の変化は、本開示の範囲及び思想を逸脱することなく実現し得るものである。
【産業上の利用可能性】
【００７０】
本発明は、浴室とサニタリールームとを水密的に分離すると共に、浴室とサニタリールームとの両方の換気を簡易な構成で行うサニタリールーム付きの組立式浴室ユニットに有用である。
【符号の説明】
【００７１】
１０  組立式浴室ユニット
２０  浴室
２１  シャワー
２２  換気扇
２３  点検口
３０  サニタリールーム
３１  便器
３２  洗面台
４０  ドア
４１  通気路
４２  ドア本体
４３  枠体
４４  パネル
４５  吊元側枠体
４６  回転軸
４７  水切部材
４７ａ，４７ｂ  水切片
５０  吊元外枠
５１  水切片
５２  水切片
５３  水切片
６０  仕切り部材
８０  臭気
Ｄ１  一方側
Ｄ２  他方側
Ｄ３，Ｄ４  流れ
ＣＬ１  中心線
ＰＳ１  浴室側表面
Ｓｃ  吊元
【図１】
2019078092.tif 000003
【図２】
2019078092.tif 000004
【図３】
2019078092.tif 000005
【図４】
2019078092.tif 000006